【手続補正書】
【提出日】平成16年3月5日(2004.3.5)
【手続補正１】
【補正対象書類名】明細書
【補正対象項目名】発明の名称
【補正方法】変更
【補正の内容】
【発明の名称】パルプ成形品およびその製造方法


【手続補正２】
【補正対象書類名】明細書
【補正対象項目名】特許請求の範囲
【補正方法】変更
【補正の内容】
【特許請求の範囲】
【請求項１】
架橋処理が施されたパルプを主成分とする第１層と、架橋処理が施されていない材料からなる第２層とを有してなるパルプ成形品であって、
前記第１層が前記成型品に収容される物品に接触する内側面を構成し、前記第２層が前記成型品の外側面を構成するように成形されてなることを特徴とするパルプ成型品。
【請求項２】
前記第２層がパルプあるいは生分解性プラスチックを主成分とすることを特徴とする請求項１記載のパルプ成形品。
【請求項３】
前記パルプ成形品の少なくとも片面に、プラスチックを被膜してなることを特徴とする請求項１または２記載のパルプ成形品。
【請求項４】
パルプ成型品の製造方法であって、
架橋処理が施されたパルプを主成分とする第１層を、前記パルプ成型品に収容される物品と接触する内側面を構成するように第一型で抄造する工程と、
架橋処理が施されていないパルプを主成分とする第２層を、前記パルプ成型品の外側面を構成するように第二型で抄造する工程と、
前記第１層と前記第２層とを、前記第一型と前記第二型との間に挟んで互いに固着する工程と、
を有することを特徴とするパルプ成形品の製造方法。
【請求項５】
パルプ成型品の製造方法であって、
架橋処理が施されたパルプを主成分とする第１層を抄造する工程と、
架橋処理が施されていないパルプを主成分とする第２層を抄造する工程と、
前記第１層と前記第２層とを互いに固着して、パルプ包装材を形成する工程と、
前記第１層が前記パルプ成型品に収容される物品と接触する内側面を構成し、前記第２層が前記パルプ成型品の外側面を構成するような形状に、前記パルプ包装材をプレス成形によって成型する工程と、
を有することを特徴とするパルプ成形品の製造方法。
【請求項６】
パルプ成型品の製造方法であって、
架橋処理が施されたパルプを主成分とする第１層を抄造する工程と、
プレス成型によって、前記パルプ成型品に収容される物品と接触する内側面を構成するように前記第１層を成型する工程と、
架橋処理が施されていないパルプを主成分とする第２層を抄造する工程と、
プレス成型によって、前記パルプ成型品の外側面を構成するように前記第２層を成型する工程と、
プレス成型された前記第１層と前記第２層とを互いに固着する工程と、
を有することを特徴とするパルプ成形品の製造方法。
【請求項７】
前記第２層の主成分をパルプに代えて、生分解性プラスチックとすることを特徴とする請求項４〜６のいずれかに記載のパルプ成形品の製造方法。
【請求項８】
さらに、前記第１層と前記第２層のうち少なくとも一方の片面に、プラスチックを被膜する工程を有することを特徴とする請求項４〜７のいずれかに記載のパルプ成形品の製造方法。
【手続補正３】
【補正対象書類名】明細書
【補正対象項目名】０００５
【補正方法】削除
【補正の内容】
【手続補正４】
【補正対象書類名】明細書
【補正対象項目名】０００６
【補正方法】変更
【補正の内容】
【０００６】
【課題を解決するための手段】
本発明のパルプ成形品は、架橋処理が施されたパルプを主成分とする第１層と、架橋処理が施されていない材料からなる第２層とを有してなるものである。これにより、架橋処理が施された第１層に柔軟性や緩衝性を備え、架橋処理が施されていない第２層に形状維持性を備えたパルプ成形品が得られる。
また、前記第２層をパルプあるいは生分解性プラスチックを主成分とすることで、廃棄しても微生物などにより分解される、環境保護の点で優れたパルプ成形品が得られる。
さらに、前記パルプ成形品の少なくとも片面にプラスチックを被膜すると、プラスチックが被膜された面が滑らかになって、内包物に傷がつきにくくなる。


【手続補正５】
【補正対象書類名】明細書
【補正対象項目名】０００７
【補正方法】削除
【補正の内容】
【手続補正６】
【補正対象書類名】明細書
【補正対象項目名】０００８
【補正方法】削除
【補正の内容】
【手続補正７】
【補正対象書類名】明細書
【補正対象項目名】００１０
【補正方法】変更
【補正の内容】
【００１０】
また、架橋処理が施されたパルプを主成分とする第１層と、架橋処理が施されていないパルプを主成分とする第２層とをそれぞれ抄造し、これらの第１層と第２層とを固着およびプレス成形するものである。また、架橋処理が施されたパルプを主成分とする第１層と、架橋処理が施されていないパルプを主成分とする第２層とをそれぞれ抄造し、これらの第１層と第２層とを固着する前に、それぞれプレス成型するものである。これによれば、従来のパルプシートの製造装置を利用して第１層、第２層のシートをそれぞれ製造でき、それらのシートが積層および成形されて、所定の形状の梱包あるいは包装用成形品を得ることができる。


【手続補正８】
【補正対象書類名】明細書
【補正対象項目名】００１１
【補正方法】変更
【補正の内容】
【００１１】
さらに、本発明のパルプ成形品の製造方法は、上記第１層、第２層のうち少なくとも一方の片面に、プラスチックを被膜するものである。これによれば、形状維持性を有するパルプシートやパルプ成形品の表面を滑らかにすることができる。


【手続補正９】
【補正対象書類名】明細書
【補正対象項目名】００１５
【補正方法】変更
【補正の内容】
【００１５】
また、上記のように架橋処理がされたパルプを主成分として抄造されたパルプシートを第１層とし、生分解性プラスチックを主成分として成形されたプラスチックシートを第２層として、それらを圧着や接着剤などを利用して固着積層しても、各種梱包、包装材として上記と同様の効果を得ることができる。生分解性プラスチックはそれが自然環境中に廃棄されても分解され自然に帰るので、合成樹脂製品のような問題は生じない。


【手続補正１０】
【補正対象書類名】明細書
【補正対象項目名】００１８
【補正方法】変更
【補正の内容】
【００１８】
このようにして製造された合成パルプシート６は、大きな衝撃緩衝性はないものの、架橋処理されていないパルプシートが形状維持性を備え、そこに塗布されたプラスチック面の滑らかさが、内包物を傷つけにくくし塵やほこりも付着しにくくする。従って、大きな衝撃などが生じる恐れがない場合の梱包材や包装材として利用できる。
なお、プラスチックを塗布する代わりに、プラスチックの薄層を積層（ラミネート加工）してもよい。


【手続補正１１】
【補正対象書類名】明細書
【補正対象項目名】００１９
【補正方法】変更
【補正の内容】
【００１９】
また、上記のようなプラスチックの塗布やラミネート加工を、実施の形態１で説明した合成パルプシートに適用してその表面を被膜しても、上記と同様の効果を得ることができる。


【手続補正１２】
【補正対象書類名】明細書
【補正対象項目名】００２６
【補正方法】変更
【補正の内容】
【００２６】
また、上記のように架橋処理がされたパルプを主成分として抄造されたパルプシートを第１層とし、前述した生分解性プラスチックを主成分として成形されたプラスチック成形品を第２層として、それらを熱圧着や接着剤などを利用して固着積層しても、各種梱包、包装材として上記と同様の効果を得ることができる。